(57)【特許請求の範囲】
【請求項１】
通気用途の室外側に設けられる通気口部材であって、
通気路を構成する管状の部材であり、吸い込み口となる開放口を有する本体部と、
前記本体部の内部に前記本体部を構成する第１側面部材と前記第１側面部材と対向する第２側面部材まで前記通気路を横断する方向に並べて配置され、一辺に折曲加工部を有する板状の複数のブレードと、
を備え、
前記ブレードの各々は、前記折曲加工部が前記開放口側に向けられて配置され、
前記折曲加工部は、鉛直方向の上方へ向けて折曲げられていることを特徴とする通気口部材。
【請求項２】
請求項１に記載の通気口部材であって、
前記ブレードの表面の少なくとも一部に網部材が設けられていることを特徴とする通気口部材。
【請求項３】
請求項１に記載の通気口部材であって、
前記ブレードの表面の少なくとも一部に溝加工が施されていることを特徴とする通気口部材。
【請求項４】
請求項１〜３のいずれか１項に記載の通気口部材であって、
前記ブレードの各々は、前記折曲加工部が設けられている側の本体表面が前記本体部の開放口に向くように前記通気路に対して傾けて配置されていることを特徴とする通気口部材。
【請求項５】
請求項１〜４のいずれか１項に記載の通気口部材であって、
前記複数のブレードが、前記通気路に垂直なラインに対して互いに傾けて配置されていることを特徴とする通気口部材。
【請求項６】
請求項１〜５のいずれか１項に記載の通気口部材であって、
前記通気路を前記開放口から垂直に見た場合に、隣り合う２つの前記ブレードの端部が接する又は重なり合って見えるように前記ブレードが配置されていることを特徴とする通気口部材。
【発明の詳細な説明】
【技術分野】
【０００１】
本発明は、通気口部材に関する。
【背景技術】
【０００２】
室内へ室外の空気を取り入れる空調用のダクト等の通気口には防雨、防虫対策を施した通気口部材が適用される。
【０００３】
例えば、換気口部材のパイプ内に円周方向の溝部を形成し、溝部にパイプ内面へ圧接される弾力性の鍔片を備えたリテーナリングを嵌合し、溝部より外側の基管部にコーキング剤を保持するフランジを有する構成が開示されている（特許文献１）。
【０００４】
また、下部に開放口を形成し、空気流通口を覆って雨粒の侵入を防止するウェザーカバーにおいて、支点ピンにより支持され、風圧によって角度が変更されて開放口を遮蔽する防風板を設けた構成が開示されている（特許文献２）。
【０００５】
また、通気口にフードを設け、フードの下縁を後端よりも前部が低くなるように傾斜させて形成し、フードの下縁の後端から前部へ向けてフードの外部上方へ向けた折り曲げ部を形成し、折り曲げ部によって雨水を流す構成が開示されている（特許文献３）。
【０００６】
また、排気口をフード状に覆うウェザーカバーにおいて、そのカバーの換気通路を横断するように屏風状に折り曲げたエアーフィルターを着脱可能に設けた構成が開示されている（特許文献４）。
【先行技術文献】
【特許文献】
【０００７】
【特許文献１】実開昭６３−１６５４２６号公報
【特許文献２】実開昭５６−９０６２３号公報
【特許文献３】特開平１１−１２５４４２号公報
【特許文献４】特開２００５−２６５２３９号公報
【発明の概要】
【発明が解決しようとする課題】
【０００８】
ところで、従来の通気口部材では、流れる空気と共に通気口内へ直接侵入する霧状の雨粒を効果的に取り除くことができなかった。特に、近年は通気能力の向上により通気の風速が１０ｍ／ｓ近くまで高められ、空気と共に通気口内へ吸い込まれる雨粒が多くなっており、それを効率良く取り除く手段が求められている。
【０００９】
また、一方では、通気口の本来の目的である通気のコンダクタンスをできるだけ低下させないような構造とする必要がある。例えば、特許文献４のように、換気通路を横断するように屏風状に折り曲げたエアーフィルターを設けると、通気のコンダクタンスの低下が著しくなってしまう。
【００１０】
本発明は、上記課題を鑑み、新たな構造の通気口部材を提供することを目的とする。
【課題を解決するための手段】
【００１１】
本発明の１つの態様は、通気用途の室外側に設けられる通気口部材であって、通気路を構成する管状の部材であり、吸い込み口となる開放口を有する本体部と、前記本体部の内部に前記本体部を構成する第１側面部材と前記第１側面部材と対向する第２側面部材まで前記通気路を横断する方向に並べて配置され、一辺に折曲加工部を有する板状の複数のブレードと、を備え、前記ブレードの各々は、前記折曲加工部が前記開放口側に向けられて配置されていることを特徴とする通気口部材である。
【００１２】
ここで、前記折曲加工部は、鉛直方向の上方へ向けて折曲げられていることが好適である。
【００１３】
また、前記ブレードの表面の少なくとも一部に網部材が設けられていることが好適である。
【００１４】
また、前記ブレードの表面の少なくとも一部に溝加工が施されていることが好適である。
【００１５】
また、前記ブレードの各々は、前記折曲加工部が設けられている側の本体表面が前記本体部の開放口に向くように前記通気路に対して傾けて配置されていることが好適である。
【００１６】
また、前記複数のブレードが、前記通気路に垂直なラインに対して互いに傾けて配置されていることが好適である。
【００１７】
また、前記通気路を前記開放口から垂直に見た場合に、隣り合う２つの前記ブレードの端部が接する又は重なり合って見えるように前記ブレードが配置されていることが好適である。
【発明の効果】
【００１８】
本発明によれば、適切な通気を維持しつつ、雨粒の侵入を効果的に防ぐことが可能な通気口部材を提供することができる。
【図面の簡単な説明】
【００１９】
【図１】本発明の実施の形態における通気システムの全体構成を示す図である。
【図２】本発明の実施の形態における通気口部材の構成を示す断面図である。
【図３】本発明の実施の形態における通気口部材の構成を示す斜視図である。
【図４】本発明の実施の形態における通気口部材の構成を示す拡大斜視図である。
【図５】本発明の実施の形態におけるブレードの構成を示す斜視図である。
【図６】本発明の実施の形態における通気口部材内の気流を示す図である。
【図７】本発明の実施の形態における通気口部材の構成を示す断面図である。
【図８】本発明の実施の形態におけるブレードの配置とブレード間隔との関係を示す図である。
【図９】本発明の実施の形態におけるブレードの構成を示す斜視図である。
【発明を実施するための形態】
【００２０】
本発明の実施の形態における通気システム１００は、図１に示すように、ファン部１０２と通気口部材１０４を含んで構成される。通気システム１００は、図１に示すように、建物の壁等に空けられた取り付け穴１０６に取り付けられ、室内と室外の通気を行うために用いられる。
【００２１】
ファン部１０２は、羽根を備えるモータ１０を含んで構成され、電力によりモータ１０を駆動することによって羽根を回転させて通気口部材１０４を介して室外の気体（空気）を室内へ取り込む。本実施の形態における通気システム１００は通気口部材１０４に特徴を有するのでファン部１０２については詳細に説明しないが、従来の構成を適用することができる。
【００２２】
通気口部材１０４は、通気（吸気又は排気）のために屋外に取り付けられる。通気口部材１０４は、図２の拡大断面図に示すように、本体部２０、ブレード２２、フィルタ２４を含んで構成される。
【００２３】
本体部２０は、取り付け穴１０６の室外側を覆い、通気路２６を形成するように管状に形成されている。図３に通気口部材１０４の構成例を示す斜視図を示す。なお、図３では、通気口部材１０４の内部構造を明瞭に示すためにフィルタ２４を取り除いた状態を示している。例えば、本体部２０は、図３の斜視図に示すように、矩形状の通気路２６を構成するように上面部材２０ａ，下面部材２０ｂ、側面部材２０ｃ，２０ｄを組み合わせて構成される。上面部材２０ａ，下面部材２０ｂ、側面部材２０ｃ，２０ｄはそれぞれ防錆性に優れた材料、例えば、アルミニウムやステンレスにより構成することが好適である。
【００２４】
管状に形成された本体部２０は、取り付け穴１０６に取り付けられる接続口２０ｅ及び屋外において開放する開放口２０ｆを有する。また、本体部２０は、降雨時等に通気路２６へ侵入する雨粒をできるだけ減らすために開放口２０ｆが下向きになるように屈曲部２０ｇにおいて屈曲した構造に形成される。通気口部材１０４を取り付け穴１０６に取り付けたときに開放口２０ｆが下向きとなるようにすることが好適であり、取り付け孔１０６が設けられる壁が鉛直である場合には屈曲部２０ｇの屈曲角度は９０°程度とする。また、屈曲部２０ｇは所定の曲率を有するように滑らかに屈曲させることが好適である。
【００２５】
図４に開放口２０ｆ付近の拡大斜視図を示す。図３の斜視図及び図４の拡大斜視図に示すように、上面部材２０ａ，下面部材２０ｂ、側面部材２０ｃ，２０ｄの開放口２０ｆには、開放口２０ｆの外側と内側に向けて折り返された樋部２０ｈを設けることが好適である。また、樋部２０ｈの一部は切り欠かれ、雨水等の水分を通気路２６から排出するための排水口２０ｉとされる。
【００２６】
さらに、本実施の形態における通気口部材１０４は、通気路２６内にブレード２２を有する。図５にブレード２２の構成を示す斜視図を示す。図５に示すように、ブレード２２は、平板状のブレード本体２２ａの一辺をＵ字状やコ字状に折り曲げ加工した折曲加工部２２ｂを含んで構成される。折曲加工部２２ｂは、ブレード２２によって捕集された水分を流すための樋の役割を果たす。折曲加工部２２ｂの幅ｗ及び高さｈは１０ｍｍ以下とすることが好適である。ブレード２２は、防錆性に優れた材料、例えば、アルミニウムやステンレスにより構成することが好適である。
【００２７】
このようなブレード２２を開放口２０ｆの近傍の通気路２６内に配設する。ブレード２２は、側面部材２０ｃから側面部材２０ｄまで通気路２６を横断する方向に取り付ける。ブレード２２の幅は、側面部材２０ｃから側面部材２０ｄまで略亘る幅とすることが好ましい。ただし、図４に示すように、ブレード２２の端部と側面部材２０ｃ（図示しないが側面部材２０ｄ側も同様）との間に隙間ｄが形成される幅とすることが好適である。隙間ｄは、０．５ｍｍ以上１ｍｍ以下とすることが好適である。
【００２８】
また、ブレード２２は、折曲加工部２２ｂである端部が開放口２０ｆ側に、折曲加工部２２ｂでない端部が接続口２０ｅ側となるように取り付ける。このとき、折曲加工部２２ｂを有する側のブレード本体２２ａの面が開放口２０ｆ側に向くように通気路２６に対して傾斜させてブレード２２を取り付ける。すなわち、通気口部材１０４を取り付け穴１０６に取り付けた際に、折曲加工部２２ｂを有する側のブレード本体２２ａの面が下向きになるように傾斜させてブレード２２を取り付ける。傾斜角度θは、ブレード本体２２ａが通気路２６に沿って配置されないものであればよいが、例えば、４０°〜８０°の範囲が好ましく、６０°程度とすることがより好ましい。
【００２９】
なお、複数のブレード２２を配設する場合には、図１〜図３に示すように、各ブレード２２のブレード本体２２ａが互いに略平行になるように配置することが好適である。本実施の形態では、図２の破線Ａ，Ｂで示すように、通気路２６に垂直なライン（破線Ａ，Ｂ）に沿ってブレード２２を複数配置する構成としている。
【００３０】
また、ブレード２２を複数配置する場合には、開放口２０ｆから通気路２６を垂直に覗いたときに、隣り合う２つのブレード２２の端部が接して見える又は重なり合って見えるようにブレード２２の長さと傾斜角度θを調整して配置することが好適である。すなわち、図２の破線Ｃで示すように、１つのブレード２２のブレード本体２２ａの折曲加工部２２ｂと、そのブレード２２と隣り合うブレード２２のブレード本体部２２ａの折曲加工部２２ｂとは反対側の端部とが接して見える又は重なり合って見えるように構成する。これにより、開放口２０ｆから気体を吸い込んだ際に、複数のブレード２２間を流れる気体がいずれかのブレード２２に当たるように気流を作ることができる。
【００３１】
また、開放口２０ｆには、防塵や防虫のためにフィルタ２４を取り付けてもよい。フィルタ２４は、例えば、金属等で構成された網材や不織布を貼り付けた枠材とすることが好適である。なお、フィルタ２４は、通気の圧力損失ができるだけ低下しないような構成とすることが好ましい。
【００３２】
このように通気路２６内にブレード２２を設けることによって、ファン部１０２によって開放口２０ｆから空気を吸引した際に、空気と共に通気路２６に侵入した霧状の雨粒等を除去することができる。すなわち、図４の太矢印で示すように、通気路２６に侵入した霧状の雨粒等は空気の流れに沿ってブレード２２に当たって水滴として凝集し、その自重によってブレード本体２２ａを伝わって折曲加工部２２ｂに溜まる。折曲加工部２２ｂに溜まった水滴は、折曲加工部２２ｂの端部まで流れ、ブレード２２と側面部材２０ｃ又は２０ｄとの隙間ｄを通り、側面部材２０ｃ，２０ｄの内壁を伝わって本体部２０の開放口２０ｆに設けられた樋部２０ｈへ流れ落ちる。さらに、樋部２０ｈを伝わって樋部２０ｈの端部まで流れ、樋部２０ｈの端部に設けられた排水口２０ｉから通気路２６へ排出される。このようにして、雨粒等の水分をブレード２２によって除去することができる。
【００３３】
また、複数のブレード２２を配設することによって、通気路２６内のコンダクタンスを大きく低下させることなく雨粒等の水分を除去することができる。すなわち、単一のブレード２２によって通気路２６に吸引される雨粒等を取り除こうとすると、通気路２６の大半が単一のブレード２２によって塞がれてしまうことになりコンダクタンスが低下する。一方、複数のブレード２２を並設した場合、開放口２０ｆからみた通気路２６の見込み面の大半を複数のブレード２２の重なり合いにより覆うことができると共に、通気路２６のコンダクタンスをブレード２２間の空間により確保することができる。
【００３４】
また、図６の矢印で示すように、通気路２６を流れる空気がブレード２２によって通気路２６の屈曲部２０ｇへ向かって変更されるようにブレード２２を傾斜させて配置することによって、ブレード２２で取り除くことができなかった水分を含む空気を屈曲部２０ｇに当てて水滴として凝集させる効果も得られる。屈曲部２０ｇにおいて凝集された水分は、その自重によって通気路２６の内壁を伝わって開放口２０ｆに設けられた樋部２０ｈに集められ、樋部２０ｈを伝わって樋部２０ｈの端部まで流れ、樋部２０ｈの端部に設けられた排水口２０ｉから通気路２６へ排出される。
【００３５】
また、図３及び図４に示すように、開放口２０ｆの角部にバッフル板２０ｊを設けてもよい。バッフル板２０ｊは比較的小さな板であり、開放口２０ｆの樋部２０ｈの端部を覆うように配置する。バッフル板２０ｊによってその近傍の風速を低下させることができ、樋部２０ｈを伝わって流れる水分や通気路２６の内壁を伝わって流れる水分の通気路２６内への逆流を防ぐことができる。
【００３６】
また、ブレード２２を側面部材２０ｃ，２０ｄの一方から他方に向かって開放口２０ｆ側に傾けて取り付けることも好適である。ブレード２２をこのように傾けることによって折曲加工部２２ｂに集まった水分をより早く排出することができる。
【００３７】
また、図７の破線Ｄ，Ｅで示すように、通気路２６に垂直なラインに対して複数のブレード２２を傾けて階段状に配置してもよい。このとき、ブレード２２の折曲加工部２２ｂが設けられていない側に隣り合うブレード２２が通気路２６のより奥に配置されるように傾けて配置することが好ましい。
【００３８】
このような配置とすることによって、図８に示すように、開放口２０ｆから通気路２６を垂直に覗いたときに隣り合う２つのブレード２２の端部が接する又は重なり合うように配置した場合に隣り合うブレード２２間の間隔Ｄ２を、傾けないで配置した場合の間隔Ｄ１よりも広げることができ、通気路２６内のコンダクタンスの低下をより抑えることができる。また、ブレード２２の表面における風速を低下させてブレード２２による水分の除去の効果を高めることができる。また、図７の矢印で示すように、ブレード２２の折曲加工部２２ｂの外側等に付着した水分が通気路２６内に再度吸い込まれた場合に次段のブレード２２によって除去ができる可能性を高めることができる。さらに、ブレード２２を経由して通気路２６内に侵入した水分が屈曲部２０ｇにより付着し易くなり、水分の除去効率を高めることができる。
【００３９】
さらに、通気路２６内の風速が高い場合、ブレード２２の表面で凝集された水分が再度空気の流れに巻き込まれて通気路２６内に吸い込まれてしまう可能性がある。そこで、ブレード２２の表面付近の空気の流れの影響を受けずに水分を樋部２０ｈに集めるために、図９に示すように、ブレード２２の表面の少なくとも一部に網２８を張り、ブレード２２の表面に付着した水分が再度吸い込まれることを防止してもよい。同様の効果を得るために、例えば、ブレード２２の表面の少なくとも一部に親水性の塗料を塗布したり、ブレード２２の表面の少なくとも一部に溝加工を施したりする方法を適用してもよい。
【００４０】
なお、本実施の形態では、側面部材２０ｃから側面部材２０ｄまで通気路２６を横断する方向にブレード２２を取り付ける構成を説明したが、上面部材２０ａから下面部材２０ｂまで通気路２６を横断する方向にブレード２２を取り付けてもよい。
【符号の説明】
【００４１】
１０  モータ、２０  本体部、２０ａ  上面部材、２０ｂ  下面部材、２０ｃ  側面部材、２０ｄ  側面部材、２０ｅ  接続口、２０ｆ  開放口、２０ｇ  屈曲部、２０ｈ  樋部、２０ｉ  排水口、２０ｊ  バッフル板、２２  ブレード、２２ａ  ブレード本体、２２ｂ  折曲加工部、２４  フィルタ、２６  通気路、２８  網、１００  通気システム、１０２  ファン部、１０４  通気口部材、１０６  取り付け穴。
【図１】
0005362874.tif 000002
【図２】
0005362874.tif 000003
【図３】
0005362874.tif 000004
【図４】
0005362874.tif 000005
【図５】
0005362874.tif 000006
【図６】
0005362874.tif 000007
【図７】
0005362874.tif 000008
【図８】
0005362874.tif 000009
【図９】
0005362874.tif 000010